(57)【要約】全体を大きくすることなく、簡単に横型画面が得られる携帯電話機であり、キーボード操作部に対して画面表示部を縦向きから横向きになるように回転自在に結合したものであり、画面を見る場合はキーボード操作部に対して画面表示部を縦向きから横向きになるように回転させることで、横向きの画面を得ることができる携帯電話機である。キーボード操作部（１）と、画面表示部（２）とを回転自在に連結する携帯電話において、キーボード操作部（１）と画面表示部（２）を一部または全部が合わさるように重ね合わせ、また、キーボード操作部（１）に対して画面表示部（２）は縦向きから横向きになるように回転自在に軸構造により結合し、画面表示部（２）は縦向きの状態ではキーボード操作部（１）に完全に重なり、また、横向きの状態では軸構造により結合する上部のみがキーボード操作部（１）に重なる。
2002100076.tif 000002
【特許請求の範囲】
【請求項１】
キーボード操作部と、画面表示部とを回転自在に連結する携帯電話において、キーボード操作部と画面表示部をこれらが相互に一部または全部が合わさるように重ね合わせ、また、キーボード操作部に対して画面表示部は縦向きから横向きに状態を変化させるように回転自在に軸構造により結合し、画面表示部は縦向きの状態ではキーボード操作部に上下関係として完全に重なり、また、横向きの状態では軸構造により結合する上部のみがキーボード操作部に重なることを特徴とする携帯電話機。
【請求項２】
キーボード操作部は、テンキー等の操作ボタンは縦向きと横向きの配列の両方を構成するように並ぶが、横向きの配列が左右何れか一方が上がり勾配となるように縦向きの配列を傾斜させて並べる請求項１記載の携帯電話機。
【請求項３】
キーボード操作部と、画面表示部とはキーボード操作部を上にして重ね、キーボード操作部には電話番号等の小表示部を設けた請求項１または請求項２記載の携帯電話機。
【請求項４】
キーボード操作部と画面表示部は回転結合の軸着部を中心に画面表示部を上にして重ね合わせ、画面表示部を横向きになるように回転させた場合に、相互に一部のみが重なり合い、キーボード操作部の操作ボタンはこの重なり合い部分を避けた下側に配列する請求項１または請求項２記載の携帯電話機。
【請求項５】
送話部はキーボード操作部下部に設け、画面表示部下部にはこの送話部への貫通孔を形成し、キーボード操作部と画面表示部とを完全に重ねた場合に送話部と貫通孔とが重なるようにする請求項１、請求項２、請求項４のいずれかに記載の携帯電話機。
【請求項６】
キーボード操作部と画面表示部は回転結合の軸着部を中心にキーボード操作部を上にして重ね合わせ、画面表示部を横向きになるように回転させた場合に相互に一部のみが重なり合い、画面表示部の画面はこの重なり合い部分を避けた下側に設けた請求項１、請求項２、請求項４、請求項５のいずれかに記載の携帯電話機。
【請求項７】
相互に重ねるキーボード操作部と画面表示部は、重ね合わせ部分においていずれか一方に円形ボス部を、他方にこのボス部を嵌入する円形凹部を形成し、それらの中心を回転軸部とするため、円形凹部から内部ネジ切りの軸を突設し、これをボス部の中心の設けた貫通孔に挿入し、内部ネジ切りの軸には受座盤を有するネジを螺合してキーボード操作部と画面表示部とをネジ止めする請求項１ないし請求項６のいずれかに記載の携帯電話機。
【発明の詳細な説明】
技術分野
本発明は、携帯電話機の構造、特に画面表示部に関するものである。
背景技術
ＰＨＳを含めた携帯電話機は一般電話機に代わる行動電話機としてその機能の範囲が広がってきており、今や国際的な製品として普及してきている。本来、携帯電話機は通話を目的として開発された。しかし、昨今、電子技術が急速に発展して、携帯電話機の機体はよりコンパクトになってきた。その性能も機能も向上し、すでに多機能携帯電話機として市販されている。
携帯電話機の中には、例えば、通話以外にメールが交換できたり、カラー液晶パネルを採用することによってデジタルカメラ機能を搭載した機器も出現している。このようにして、もともとは音声を中心としていた携帯電話機は、今や映像の伝送受信へと機能目的を進化させている。今後、展開されるであろう次世代携帯電話機は、映像や動画を鑑賞するウエイトが増し、マルチメディアプログラムの供給を受け、娯楽情報、スポーツ中継、テレビ電話、会議等の映像を必要とする分野に使用が拡大していくことが予測される。
携帯電話機には種々のタイプがあるが、基本的な構造は第９図に示すように、テンキーやファンクションキー等の操作ボタンを配列したキーボード操作部１とＬＣＤ（液晶）パネルによる画面表示部２とを備えたものである。
通常、送話部３はキーボード操作部１の一番下側部分に設けられ、受話部４は画面表示部２の上側部分に設けられる。
なお、機体をコンパクトにする方法としては、図示は省略するが、折り畳みタイプも存在し、キーボード操作部１を設けた筐体と画面表示部２を設けた筐体とを分離して、これらを蝶番で結合したものもある。
ところで前記のように携帯電話機が映像を重視される時代性（傾向）にあっては、従来の画面をより見易くするために画面サイズを拡大することが要請される。しかしキーボード操作部１との関係で、このキーボード操作部１が通常縦方向に長い長方形の面であることから、画面も縦型であり、機体サイズの制約から形状に限界がある。
しかし、映像を見る者にとっては画面は縦型よりも横型の方が自然であり、映像効果が得られ、特に、テレビ、ビデオ、カーナビ、あらゆる中継を観賞するには横型の画面パネルの方が適している。
そこで横型の画面パネルが望まれるが、現在の液晶による縦型画面パネルを横型にする一つの方法として、機器サイズの幅を拡大することが考えられる。しかし、これでは全体が大きくなり、軽量、コンパクト化を指向する携帯電話本来の基本設計思想に反することになる。
本発明の目的は前記従来例の不都合を解消し、全体を大きくすることなく、簡単に横型画面が得られる携帯電話機を提供することにある。
発明の開示
本発明は前記目的を達成するため、第１に、キーボード操作部と、画面表示部とを回転自在に連結する携帯電話において、キーボード操作部と画面表示部を一部または全部が合わさるように重ね合わせ、また、キーボード操作部に対して画面表示部は縦向きから横向きになるように回転自在に軸構造により結合し、画面表示部は縦向きの状態ではキーボード操作部に完全に重なり、また、横向きの状態では軸構造により結合する上部のみがキーボード操作部に重なることを要旨とするものである。
第２に、キーボード操作部は、テンキー等の操作ボタンは縦向きと横向きの配列の両方を構成するように並ぶが、横向きの配列が左右何れか一方が上がり勾配となるように縦向きの配列を傾斜させて並べることを要旨とするものである。
第３に、キーボード操作部と、画面表示部とはキーボード操作部を上にして重ね、キーボード操作部には電話番号等の小表示部を設けたこと、または、キーボード操作部と画面表示部は回転結合の軸着部を中心に画面表示部を上にして重ね合わせ、画面表示部を横向きになるように回転させた場合に、相互に一部のみが重なり合い、キーボード操作部の操作ボタンはこの重なり合い部分を避けた下側に配列することを要旨とするものである。
第４に、送話部はキーボード操作部下部に設け、画面表示部下部にはこの送話部への貫通孔を形成し、キーボード操作部と画面表示部とを完全に重ねた場合に送話部と貫通孔とが重なるようにすること、第５に、キーボード操作部と画面表示部は回転結合の軸着部を中心にキーボード操作部を上にして重ね合わせ、画面表示部を横向きになるように回転させた場合に相互に一部のみが重なり合い、画面表示部の画面はこの重なり合い部分を避けた下側に設けたことを要旨とするものである。
第６に、相互に重ねるキーボード操作部と画面表示部は、重ね合わせ部分においていずれか一方に円形ボス部を、他方にこのボス部を嵌入する円形凹部を形成し、それらの中心を回転軸部とするため、円形凹部から内部ネジ切りの軸を突設し、これをボス部の中心の設けた貫通孔に挿入し、内部ネジ切りの軸には受座盤を有するネジを螺合してキーボード操作部と画面表示部とをネジ止めすることを要旨とするものである。
請求項１記載の本発明によれば、キーボード操作部に対して画面表示部を縦向きから横向きになるように回転自在に結合したものであり、画面を見る場合はキーボード操作部に対して画面表示部を縦向きから横向きになるように回転させることで、横向きの画面を得ることができる。
請求項２記載の本発明によれば、前記作用に加えて、画面表示部を横向きになるように広げた場合、縦向きに残るキーボード操作部はこれを柄として横向きに握り易く、扱い易いものであり、さらに、そのようにした場合に、テンキー等の操作ボタンは縦向きの配列を傾斜させて並べることで、親指のみでキーを押し易い配列を確保できる。
請求項３記載の本発明によれば、キーボード操作部は画面を必要としない場合でも操作部が常に上になり、操作し易く、しかも、キーボード操作部には電話番号等の小表示部を設けたので、大型画面を必要としない場合は画面表示部を縦向きの状態でキーボード操作部に完全に重ねていてもこの小表示部で最低必要事項を表示できる。
請求項４記載の本発明によれば、キーボード操作部に対して画面表示部を横向きになるように回転させた場合に相互に一部が重なり合うので、大きく広がらずコンパクト性を保ち、しかも、キーボード操作部のキーはこの重なり合い部分を避けた下側に配列してあるので、キー操作が阻害されることもない。
請求項５記載の本発明によれば、送話部分はキーボード操作部下部に設け、画面表示部下部にはこの送話部分への貫通孔を形成し、キーボード操作部と画面表示部とを完全に重ねた場合に送話部分と貫通孔とが重なるようにしたので、画面表示部を縦向きにキーボード操作部に重ね合わせた場合の状態でも送話部分を塞ぐことがないので通話を阻害することがない。
請求項６記載の本発明によれば、キーボード操作部に対して画面表示部を横向きになるように回転させた場合に相互に一部が重なり合うので、大きく広がらずコンパクト性を保ち、しかも、画面表示部の画面はこの重なり合い部分を避けた下側に設けてあるので、画面表示が阻害されることもない。
請求項７記載の本発明によれば、相互に重ねるキーボード操作部と画面表示部は相互に回転を許容することを前提として安定した状態で結合することが必要であり、一方に円形ボス部を、他方にこのボス部を嵌入する円形凹部を形成し、これらの嵌合でその状態が得られるものである。しかも、キーボード操作部と画面表示部とをネジ止めするネジは受座盤を有するものであり、この受座盤が回転する画面表示部またはキーボード操作部を回転しないキーボード操作部または画面表示部に対してしっかり裏側から支承することになり、ガタツキ等が生じるおそれはなくなる。
発明を実施するための最良の形態
以下、図面について本発明の実施の形態を詳細に説明する。
第１図は本発明の携帯電話機の第１実施形態を示す広げた状態の正面図、第２図は同上畳んだ状態の正面図で、テンキーやファンクションキー等の操作ボタン７を配列したキーボード操作部１と、ＬＣＤ（液晶）パネル１１による画面表示部２とを備え、キーボード操作部１の一番下側部分に送話部３を設け、受話部４はキーボード操作部１の上に設けた点は従来の携帯電話機と同様である。図中１０はアンテナである。
これらキーボード操作部１と画面表示部２とは偏平な筐体１ａ，２ａとして内部の電子機器を収めて形成する。電池２２（第４図参照）はこれをキーボード操作部１と画面表示部２のいずれか（図示の場合はキーボード操作部１の裏側）に設ける。
図示の実施形態では、キーボード操作部１の筐体１ａと画面表示部２の筐体２ａは略同一形状とし、特に軸による軸着分の上方である上端はこの軸を中心にした円弧６の形状とする。円弧状にすることで後述のように画面表示部２が回転して横向きになる場合でも、円弧６の部分は相互の重なり部分からは外側に張り出さない。
さらに、キーボード操作部１は個々の操作ボタン７を楕円形状とするとともに縦向きと横向きの配列の両方を構成するように並べ、横向きの配列が左右何れか一方（第１図では右へ）が上がり勾配となるように縦向きの配列を傾斜させて並べた。
キーボード操作部１と画面表示部２は軸着部、この軸着部は軸により回転するように結合されたものであるが、を中心にしてキーボード操作部１を上にしてその画面表示部２重ね合わせた。
このように重ね合わせることにより、画面表示部２を縦向きから横向きになるように回転させた場合には、キーボード操作部１と画面表示部２の相互は一部のみが重なり合い、その場合に画面表示部２の画面はこの重なり合い部分を避けた位置として縦にして画面表示部２の全体において、下側に設けられている。
さらに、キーボード操作部１には前記画面表示部２のＬＣＤ（液晶）パネル１１による画面表示部２とは別に、画面表示部２の画面と同じくＬＣＤ（液晶）パネル１１によるものとして小表示部１３を設ける。
この小表示部１３は電話番号等の数字や文字を一列程度表示できるものでよい。また、キーボード操作部１にスピーカー１４を設けた。このスピーカー１４は鑑賞用の音楽等を流せるように比較的大きなものが望ましい。
次に、キーボード操作部１と画面表示部２を軸によって回転するよう結合しているが、その構造について説明する。第３図、第４図に示すように、キーボード操作部１と画面表示部２は相互に重なるようになっているが、その重ね合わせ部分においていずれか一方（図示の例は画面表示部２）に円形ボス部１４を、他方（図示の例はキーボード操作部１）にこのボス部１４を嵌入する円形凹部１５を形成した。また、それらの中心を回転軸部とするため、円形凹部１５の中心から内部にネジ溝１６を切った筒状の軸１７を突設した。
一方、ボス部１４の中心に前記軸１７を挿通させる貫通孔１８を前側から裏側に抜けるように形成する。この貫通孔１８の裏側へ抜ける開口の周囲には円盤状の偏平凹部１９を設ける。
前記軸１７を貫通孔１８に挿入し、この貫通孔１８の端の開口から顕出する軸１７端に、受座盤２０を有するネジ２１を螺合してキーボード操作部１と画面表示部２とをネジ止めする。
キーボード操作部１と画面表示部２とをネジ止めした場合、ボス部１４は円形凹部１５に嵌合し、この両者の嵌合状態を維持したままでキーボード操作部１に対して画面表示部２は回転できるようになる。ネジ２１の端の受座盤２０は偏平凹部１９に納まる。
キーボード操作部１と画面表示部２との電気的接続は、適宜な接続方法が採用でき、前記相互の軸による回転結合構造が電気的に通電可能となるような構造をで実現する。
次に、使用法について説明する。画面表示部２を使用しない通常の携帯電話機として使用する際は、第２図に示すように、キーボード操作部１に対して画面表示部２が重なる縦向きの状態としたままで、送話部３や受話部４を用いて電話をする。この場合、電話番号等の必要最小限のものは小表示部１３に表示される。
一方、インターネットやテレビ、その他で大型の表示を必要とする場合は、画面表示部２を回転させれば、これが約９０°回転し、第１図に示すように横向きの状態となる。この状態でＬＣＤ（液晶）パネル１１も横幅の広いものとして用いることができる。
このようにキーボード操作部１を残して画面表示部２のみが約９０°以上回転して横向きになるように回転自在となるものであり、画面表示部２を水平に横向きにした場合に直角程度の開き角となり、このキーボード操作部１をピストル型のホルダー部にたとえるようにしてこの部分を握れば、見易いポジションに画面表示部２を置くことができる。
なお、画面表示部２を横向きになるように広げた場合、縦向きに残るキーボード操作部１はこれを柄として横向きに握り易く、扱い易いものであり、さらに、そのようにした場合に、テンキー等の操作ボタン７は縦向きの配列を傾斜させて並べることで、親指のみでキーを押し易い配列を確保できる。
携帯電話機にデジタルカメラ１２を装着する場合もあり、このデジタルカメラ１２はキーボード操作部１の筐体１ａ側に設けるのが好ましく画面表示部２を回転させて横向きにした場合でもこのデジタルカメラ１２上に画面表示部２が来ないような位置を選定する。なお、デジタルカメラ１２は裏向きにもなる。
図示は省略するが、キーボード操作部１と画面表示部２の軸による回転結合する構造の部分にはバネを組込み、また、キーボード操作部１に対して画面表示部２が重なる縦向きの状態と、画面表示部２を横向きになるように回転させた状態での係止を行うロック機構を組込むようにしてもよい。その場合、ボタンスイッチを設け、ここを押すことで自動的にロックが解除されるようにすれば、それによりボタンスイッチを押せばロックが解除されてバネの力で画面表示部２が９０°回転し、第１図に示すように横向きの状態となる。元の状態に戻すには、手で画面表示部２を押してキーボード操作部１に重ね合わせるようにすればよい。
第５図〜第８図は本発明の第２実施形態として、キーボード操作部１と画面表示部２とを画面表示部２が上になるように重ね、上部分を軸５で結合することで、これらキーボード操作部１と画面表示部２とを回転自在に連結した。
軸５はキーボード操作部１と画面表示部２とを重ねて前後方向に刺すようにしたもので、その結果、キーボード操作部１に対して画面表示部２はこれらが重なる縦向きの状態から、キーボード操作部１を残して画面表示部２のみが約９０°以上回転して横向きになるように回転自在となる。
この軸５の構造としては前記第１実施形態での円形ボス部１４と円形凹部１５を形成し、軸１７、貫通孔１８、受座盤２０を有するネジ２１を螺合するような構造を採用してもよい。
キーボード操作部１の筐体１ａの上端側に受話部４を設け、キーボード操作部１の操作ボタン７は画面表示部２が回転して横向きになる場合の重なり部分を避けて下側に配列するものとした。なお、キーボード操作部１の筐体１ａの下端には充電用の電池端子が配設されることが多いが、充電器への設置の際には全体が直立できるように角度を第５図等のようにする。
一方、画面表示部２にはキーボード操作部１に設けた送話部３や受話部４に対応して貫通孔８ａ，８ｂを設ける。受話部４に対応する貫通孔８ｂはキーボード操作部１に対して画面表示部２が重なる縦向きの状態と、画面表示部２を横向きになるように回転させた場合の両方に位置が合致するように２個を設けた。
前記軸５には画面表示部２の回転を助成するようバネ９を組込み、また、図示は省略するがキーボード操作部１に対して画面表示部２が重なる縦向きの状態と、画面表示部２を横向きになるように回転させた状態での係止を行うロック機構を組込んだ。その場合、軸５の頭部をボタンスイッチ５ａとしておき、ここを押すことで自動的にロックが解除されるようにすればよい。
次に、使用法について説明する。携帯電話機を使用する際で、例えばかかってきた電話にでるだけで、キーボード操作部１を使用しないですむ場合には、第６図に示すようなキーボード操作部１に対して画面表示部２が重なる縦向きの状態としたままで、貫通孔８ａを介して送話部３が、貫通孔８ｂを介して受話部４が使用できる。
また、横幅の広い画面を見たい場合には、ボタンスイッチ５ａを押せばロックが解除されてバネ９の力で画面表示部２が９０°回転し、第５図に示すように横向きの状態となる。この状態でＬＣＤ（液晶）パネル１１も横幅の広いものとして用いることができる。
元の状態に戻すには、手で画面表示部２を押してキーボード操作部１に重ね合わせるようにすればよい。
産業上の利用可能性
以上述べたように本発明の携帯電話機は、全体を大きくすることなく、簡単に横型画面が得られ、見やすい状態を確保できるものである。
【図面の簡単な説明】
第１図は、本発明の携帯電話機の第１実施形態を示す広げた状態の正面図である。
第２図は、本発明の携帯電話機の第１実施形態を示す畳んだ状態の正面図である。
第３図は、本発明の携帯電話機の第１実施形態を示す畳んだ状態の縦断側面図である。
第４図は、本発明の携帯電話機の第１実施形態を示す分解斜視図である。
第５図は、本発明の携帯電話機の第２実施形態を示す広げた状態の正面図である。
第６図は、本発明の携帯電話機の第２実施形態を示す畳んだ状態の正面図である。
第７図は、本発明の携帯電話機の第２実施形態を示すキーボード操作部部分の正面図である。
第８図は、本発明の携帯電話機の第２実施形態を示す縦断側面図である。
第９図は、従来例を示す正面図である。
【図１】
2002100076.tif 000003
【図２】
2002100076.tif 000004
【図３】
2002100076.tif 000005
【図４】
2002100076.tif 000006
【図５】
2002100076.tif 000007
【図６】
2002100076.tif 000008
【図７】
2002100076.tif 000009
【図８】
2002100076.tif 000010
【図９】
2002100076.tif 000011
【国際調査報告】
2002100076.tif 000012
2002100076.tif 000013
2002100076.tif 000014
2002100076.tif 000015